(57)【特許請求の範囲】
【請求項１】
可撓性を有する通水管を内部に収容して保護すべく、可撓性を有するよう周方向に沿う凹凸条が長手方向に連続して並ぶとともに、長手方向に直交する断面形状が縦方向に比して横方向が大となるよう形成された、幅広可撓保護管であって、
前記横方向を軸とする横軸回りの撓みを規制すべく、長手方向に沿って、前記凹凸条の凸条部間を連結する連結部が設けられていることを特徴とする、通水管の幅広可撓保護管。
【請求項２】
請求項１に記載の幅広可撓保護管において、
長手方向に直交する断面形状が円形であって前記凹凸条が設けられた管体が、前記横方向に複数並設されて、それら複数の管体が、接続部を介して一体成形されていることを特徴とする、通水管の幅広可撓保護管。
【請求項３】
請求項２に記載の幅広可撓保護管において、
前記連結部は、前記複数の管体の各々に設けられていることを特徴とする、通水管の幅広可撓保護管。
【請求項４】
請求項３に記載の幅広可撓保護管において、
前記連結部は、前記各管体の、前記縦方向の一方側および他方側に設けられていることを特徴とする、通水管の幅広可撓保護管。
【請求項５】
請求項１に記載の幅広可撓保護管において、
長手方向に直交する断面形状が前記縦方向に比して前記横方向が大となる一つの管体からなることを特徴とする、通水管の幅広可撓保護管。
【発明の詳細な説明】
【０００１】
【発明の属する技術分野】
この発明は、通水管を内部に収容して保護する幅広可撓保護管に関するものである。
【０００２】
【従来の技術】
従来、可撓性を有する二本の合成樹脂製の通水管１１が挿通される保護管１２として、例えば、図６および図７に示されるような、長手方向に直交する断面形状が縦方向Ｑ１に比して横方向Ｑ２が大となるよう形成された、幅広可撓保護管があった。この保護管１２は、二本の通水管１１、１１を用いて、例えば、湯と水を湯水混合栓に各々供給する場合や、浴槽内の湯を追焚きすべく湯を往復させる場合等に用いられた。
【０００３】
【発明が解決しようとする課題】
かかる従来の幅広可撓保護管１２は、構造上、前記縦方向Ｑ１を軸とする縦軸回りの剛性が大きく、そのため、その縦軸回りの屈曲性が著しく悪かった。しかし、保護管１２は、前記通水管１１の配管経路に沿って自在に湾曲し得る可撓性を有していることが不可欠であり、その可撓性を確保すべく、肉厚等を薄くしたり、屈曲し易い材料を使用する等の手段が施された。その結果、保護管１２は、前記横方向Ｑ２を軸とする横軸回りの剛性が著しく小さくなり、以下のような問題を回避できなかった。すなわち、前記通水管１１が可撓性を有するものの相当の剛性を有しているため、例えば、保護管１２を床面から立上げ配管した際の立上げ箇所等のコーナー部１２ａにおいて、通水管１１の挿通の際の押込み力により、保護管１２は、前記コーナー部１２ａの外周側内面が押圧されて、コーナー部が位置ずれした。そして、この位置ずれによって、コーナー部１２ａの湾曲径が小さくなり、通水管１１の挿通が困難となった（図６参照）。
【０００４】
ここで、前記コーナー部１２ａに、保護管１２を支持するサドル等（図示せず）を使用して、前記位置ずれを防ぐ方法もあるが、配管経路上にサドルが固定可能な壁面等が存在するとは限らず、また、サドルが別途必要となる等、この方法は必ずしも有効な方法とはいえなかった。
【０００５】
この発明は、上記した従来の欠点を解決するためになされたものであり、その目的とするところは、通水管の挿通を容易にすることができる、通水管の幅広可撓保護管を提供することにある。
【０００６】
【課題を解決するための手段】
この発明に係る通水管の幅広可撓保護管は、前記目的を達成するために、次の構成からなる。すなわち、
請求項１に記載の発明に係る、通水管の幅広可撓保護管は、可撓性を有する通水管を内部に収容して保護すべく、可撓性を有するよう周方向に沿う凹凸条が長手方向に連続して並ぶとともに、長手方向に直交する断面形状が縦方向に比して横方向が大となるよう形成されている。そして、幅広可撓保護管は、前記横方向を軸とする横軸回りの撓みを規制すべく、長手方向に沿って、前記凹凸条の凸条部間を連結する連結部が設けられている。
【０００７】
これにより、この幅広可撓保護管は、凹凸条の凸条部間を連結する連結部が、前記横軸回りの撓みを規制すべく、長手方向に沿って設けられている。すなわち、この連結部は、前記横軸回りの撓みを規制すべく、例えば、前記縦方向の一方側または／および他方側に設けられる。また、連結部は、凹凸条の凸条部間を連結するものであればよく、この保護管の外面側に設けられても内面側に設けられてもよく、また、外面側および内面側の両方に設けられてもよい。さらに、連結部は、この保護管の長手方向に沿って設けられるものであるが、外面側または内面側において、全ての凸条部間を連結するものでなくとも、例えば、凸条部間を一つ置きに連結するものであってもよい。こうして、この保護管は、前記連結部があることにより、前記横軸回りに湾曲して配管されるコーナー部において、挿通される通水管に押圧されて位置ずれして湾曲径が小さくなることが抑えられる。なお、通水管は、湯や冷水を含む液体としての水が通る管を意味する。
【０００８】
また、請求項２に記載の発明に係る、通水管の幅広可撓保護管のように、請求項１に記載の幅広可撓保護管において、長手方向に直交する断面形状が円形であって前記凹凸条が設けられた管体が、前記横方向に複数並設されて、それら複数の管体が、接続部を介して一体成形されてもよい。こうして、この幅広可撓保護管は、断面形状が円形の複数の管体からなり、それら管体に凹凸条が設けられる。ここで、凹凸条の凸条部間を連結する連結部は、複数の管体の各々に設けられてもよく、また、一部の管体に設けられてもよい。
【０００９】
また、請求項３に記載の発明に係る、通水管の幅広可撓保護管のように、請求項２に記載の幅広可撓保護管において、前記連結部は、前記複数の管体の各々に設けられるのが望ましい。これにより、この幅広可撓保護管は、前記横軸回りに撓むとき、捩じられることなく、各管体がバランスよく撓むことが可能となる。
【００１０】
また、請求項４に記載の発明に係る、通水管の幅広可撓保護管のように、請求項３に記載の幅広可撓保護管において、前記連結部は、前記各管体の、前記縦方向の一方側および他方側に設けられていてもよい。これにより、この幅広可撓保護管は、前記横軸回りに撓むとき、前記縦方向の一方側を内側にして撓む場合と、他方側を内側にして撓む場合とで、同様に撓むことが可能となる。
【００１１】
また、請求項５に記載の発明に係る通水管の幅広可撓保護管のように、請求項１に記載の幅広可撓保護管において、長手方向に直交する断面形状が前記縦方向に比して前記横方向が大となる一つの管体からなっていてもよい。こうして、この幅広可撓保護管は、一つの管体からなり、その一つの管体に凹凸条および連結部が設けられる。
【００１２】
【発明の実施の形態】
以下、この発明に係る、通水管の幅広可撓保護管の実施の形態を図面に基づいて説明する。
【００１３】
図１ないし図４は、本発明に係る、通水管の幅広可撓保護管の一実施の形態を示す。図中符号１は、湯や冷水を含む液体としての水が通る、可撓性を有する通水管である。２は、この発明に係る幅広可撓保護管である。この保護管２は、例えば、ポリエチレン等の合成樹脂材料からなり、前記通水管１を内部に収容して保護すべく、周方向に沿う凹凸条３が長手方向に連続して並ぶとともに、長手方向に直交する断面形状が縦方向Ｑ１に比して横方向Ｑ２が大となるよう形成されている。具体的には、この保護管２は、長手方向に直交する断面形状が円形であって前記凹凸条３がリング状に設けられた管体４が、前記横方向Ｑ２に二本並設されて、それら二本の管体４、４が、接続部５を介して、ブロー成形によって一体成形されている。つまり、この保護管２は、各管体４に、通水管１が一本ずつ挿通される。また、保護管２は、通水管１の配管経路に沿って、横方向Ｑ２を軸とする横軸回りの撓み（縦方向Ｑ１の撓み）は勿論、縦方向Ｑ１を軸とする縦軸回りの撓み（横方向Ｑ２の撓み）が自在となるよう、肉厚や材料等が設定されている。
【００１４】
そして、この保護管２には、前記横方向Ｑ２を軸とする横軸回りの撓み（縦方向Ｑ１の撓み）を規制すべく、長手方向に沿って、凹凸条３、３の凸条部３ａ、３ａ間を連結する連結部としてのリブ６、６が、凹凸条３、３と一体に成形されている。これらリブ６、６は、二本の管体４、４の各々に設けられている。そして、リブ６、６は、各管体４の外面側における、前記縦方向Ｑ１の一方側および他方側に、全ての凸条部３ａ、３ａ間を連結するようにして、一列に並んで設けられている。
【００１５】
次に、以上の構成からなる幅広可撓保護管２の作用効果について説明する。この保護管２は、凹凸条３、３の凸条部３ａ、３ａ間を連結する前記リブ６、６があることにより、例えば、床面から壁面に沿って立ち上がる立上げ部のような、前記横方向Ｑ２を軸とする横軸回りに湾曲して配管されるコーナー部２ａにおいて、挿通される通水管１に押圧されて位置ずれして湾曲径が小さくなることが抑えられるので、通水管１の挿通を容易にすることができる（図４参照）。そして、この保護管２は、リブ６、６が、二本の管体４、４の各々に設けられているので、前記横方向Ｑ２を軸とする横軸回りに撓む（縦方向Ｑ１に撓む）とき、捩じられることなく、各管体４がバランスよく撓むことが可能となる。さらに、保護管２は、リブ６、６が、各管体４の、前記縦方向Ｑ１の一方側および他方側に設けられているので、前記横方向Ｑ２を軸とする横軸回りに撓む（縦方向Ｑ１に撓む）とき、前記縦方向Ｑ１の一方側を内側にして撓む場合と、他方側を内側にして撓む場合とで、同様に撓むことが可能となる。
【００１６】
なお、本発明は、上述した実施の形態に限定されるわけではなく、その他種々の変更が可能である。例えば、リブ６は、凹凸条３、３の凸条部３ａ、３ａ間を連結するものであればよく、この保護管２の外面側に設けられなくとも、内面側に設けられてもよく、また、外面側および内面側の両方に設けられてもよい。また、リブ６は、この保護管２の長手方向に沿って設けられるものであるが、外面側または内面側において、全ての凸条部３ａ、３ａ間を連結するものでなくとも、例えば、凸条部３ａ、３ａ間を一つ置き等に連結するものであってもよい。また、リブ６は、二本の管体４、４の各々に設けられなくとも、一本の管体４にのみ設けられてもよい。また、リブ６は、各管体４の、前記縦方向Ｑ１の一方側および他方側に設けられなくとも、一方側または他方側のいずれか一方に設けられるものであってもよい。さらに、リブ６は、前記縦方向Ｑ１の一方側や他方側において、一列に並ばなくとも、二列あるいは三列等の複数列に並んでもよく、また、長手方向に沿って設けられておれば、必ずしも真っ直ぐ並んでいなくともよい。
【００１７】
また、保護管２は、管体４が、横方向Ｑ２に二本並設されているが、三本以上並設されてもよい。また、保護管２における管体４は、長手方向に直交する断面形状が、円形でなくとも、矩形等その他の形状であってもよい。また、保護管２における凹凸条３は、リング状に設けられなくとも、例えば、螺旋状に設けられてもよい。
【００１８】
また、保護管２は、二本の管体４、４からならなくとも、図５に示すように、長手方向に直交する断面形状が縦方向Ｑ１に比して横方向Ｑ２が大となる一つの管体４からなり、その一つの管体４に凹凸条３およびリブ６が設けられてもよい。そして、図５に示す保護管２は、一つの管体４に、例えば、二本の通水管１、１が挿通され、前記と同様の作用効果を奏することができる。
【００１９】
【発明の効果】
以上、詳述したところから明らかなように、この発明に係る通水管の幅広可撓保護管によれば、次の効果がある。
【００２０】
請求項１ないし５に記載された、通水管の幅広可撓保護管によれば、凹凸条の凸条部間を連結する連結部があることにより、湾曲して配管されるコーナー部において、挿通される通水管に押圧されて位置ずれして湾曲径が小さくなることが抑えられるので、通水管の挿通を容易にすることができる。
【図面の簡単な説明】
【図１】この発明に係る、通水管の幅広可撓保護管の一実施の形態の、平面図である。
【図２】同じく、図１におけるＡ−Ａ線による断面図である。
【図３】同じく、図１におけるＢ−Ｂ線による断面図である。
【図４】同じく、保護管のコーナー部に通水管を挿通する途中の状態を示す断面図である。
【図５】この発明に係る、通水管の幅広可撓保護管の他の実施の形態の、図２相当図である。
【図６】従来の幅広可撓保護管を示す、断面図である。
【図７】同じく、図６におけるＣ−Ｃ線による断面図である。
【符号の説明】
１  通水管                        ２  保護管
３  凹凸条                        ３ａ  凸条部
４  管体                          ５  接続部
６  リブ（連結部）
Ｑ１  縦方向                      Ｑ２  横方向
【図１】
0003664634.tif 000002
【図２】
0003664634.tif 000003
【図３】
0003664634.tif 000004
【図４】
0003664634.tif 000005
【図５】
0003664634.tif 000006
【図６】
0003664634.tif 000007
【図７】
0003664634.tif 000008